(57)【要約】【課題】ユーザが興味を示した場所の情報を適切なタイミングで提供できるとともに、その場所の情報を取得した動機を想起させることを目的とする。【解決手段】情報処理装置１０は、ユーザが興味を持った場所に関する情報を取得する情報取得部３１と、情報取得部３１によって取得された場所に関する情報を用いて、場所の名称、場所の位置情報、及び場所に関する情報を取得したユーザの行動に関する付加情報を関連付けた場所提供情報を作成する情報作成部３２と、ユーザの位置情報を取得する位置情報取得部３３と、取得した位置情報に基づく検索条件を用いて複数の場所提供情報が格納されているデータベース４１を検索し、検索条件に合致する場所提供情報を抽出する抽出部３４と、抽出した場所提供情報に記載されている場所の名称及び場所の位置情報とともに、付加情報を提供する情報提供部３５とを具備する。【選択図】図３
2020119125.tif 000002
【特許請求の範囲】
【請求項１】
ユーザが興味を持った場所に関する情報を取得する情報取得部と、
前記情報取得部によって取得された前記場所に関する情報を用いて、前記場所の名称、前記場所の位置情報、及び前記場所に関する情報を取得した前記ユーザの行動に関する付加情報を関連付けた場所提供情報を作成する情報作成部と、
ユーザの位置情報を取得する位置情報取得部と、
取得した前記位置情報に基づく検索条件を用いて複数の前記場所提供情報が格納されているデータベースを検索し、前記検索条件に合致する前記場所提供情報を抽出する抽出部と、
抽出した前記場所提供情報に記載されている前記場所の名称及び前記場所の位置情報とともに、前記付加情報を提供する情報提供部と
を具備する情報処理システム。
【請求項２】
前記情報取得部は、前記ユーザによって視聴または閲覧された前記場所に関する情報を含む媒体の画像データを取得し、
前記情報作成部は、前記媒体の画像データから得られる情報を用いて前記場所提供情報を作成し、前記付加情報として前記媒体の画像データを登録する請求項１に記載の情報処理システム。
【請求項３】
前記場所提供情報には、前記媒体の画像データの取得日情報が登録されており、
前記情報提供部は、前記画像データの取得日情報を提供する請求項２に記載の情報処理システム。
【請求項４】
前記場所提供情報には、電話番号、当該場所の情報が掲載されているＵＲＬ、注目度、混雑情報、価格、ジャンル、定休日、及び駐車場の有無の少なくとも一つを含む関連情報が登録されており、
前記情報提供部は、前記関連情報を提供する請求項１から３のいずれかに記載の情報処理システム。
【請求項５】
前記抽出部によって所定数以上の前記場所提供情報が抽出された場合に、抽出した前記場所提供情報の関連情報と所定の条件式とに基づいて優先順位を決定する優先順位決定部を備え、
前記情報提供部は、優先順位の高い順に前記場所提供情報を提供する請求項４に記載の情報処理システム。
【請求項６】
ユーザが興味を持った場所に関する情報を取得する工程と、
取得した前記場所に関する情報を用いて、前記場所の名称、前記場所の位置情報、及び前記場所に関する情報を取得した前記ユーザの行動に関する付加情報を関連付けた場所提供情報を作成する工程と、
ユーザの位置情報を取得する工程と、
取得した前記位置情報に基づく検索条件を用いて複数の前記場所提供情報が格納されているデータベースを検索し、前記検索条件に合致する前記場所提供情報を抽出する工程と、
抽出した前記場所提供情報に記載されている前記場所の名称及び前記場所の位置情報とともに、前記付加情報を提供する工程と
を有する情報提供方法。
【請求項７】
ユーザが興味を持った場所に関する情報を取得するステップと、
取得した前記場所に関する情報を用いて、前記場所の名称、前記場所の位置情報、及び前記場所に関する情報を取得した前記ユーザの行動に関する付加情報を関連付けた場所提供情報を作成するステップと、
ユーザの位置情報を取得するステップと、
取得した前記位置情報に基づく検索条件を用いて複数の前記場所提供情報が格納されているデータベースを検索し、前記検索条件に合致する前記場所提供情報を抽出するステップと、
抽出した前記場所提供情報に記載されている前記場所の名称及び前記場所の位置情報とともに、前記付加情報を提供するステップと
をコンピュータに実行させるための情報提供プログラム。
【発明の詳細な説明】
【技術分野】
【０００１】
本発明は、情報処理システム、情報提供方法、及び情報提供プログラムに関するものである。
【背景技術】
【０００２】
例えば、テレビ番組の視聴中に興味を持ったレストランや観光地などが紹介された場合、そのレストラン情報や観光地の情報を携帯電話機等の情報処理装置にメモとして記録することがある。また、雑誌やチラシを閲覧しているときに、興味を持ったレストラン等が掲載されていた場合には、その雑誌やチラシの画像を携帯電話機に搭載されているカメラで撮影し、記録することがある。
【０００３】
このような場合、情報処理装置のリマインダー機能で定期的に記録したこれらの情報を呼び起こすことは可能であるが、多くの場合、記録したこれらの情報を読み出すトリガはユーザ自らに委ねられている。したがって、例えば、行きたい場所として登録しておいたレストランや観光地の近くを訪ねた場合でも、ユーザ自らが行きたい場所があったことを思い出さない限り、記録しておいた情報にアクセスすることはできず、記録しておいた場所に赴くことができない。このように、従来は、自分が記録したデータに対してユーザ自らが自発的に情報検索等を行って情報を取り出す必要があった。
【先行技術文献】
【特許文献】
【０００４】
【特許文献１】特開２００６−１６３６３９号公報
【発明の概要】
【発明が解決しようとする課題】
【０００５】
また、ユーザが自発的に情報検索を行い、現在地周辺のレストランや観光地などの情報を取得することに成功したとしても、そのレストランまたは観光地に行きたいと思った動機を思い出すことができず、記録しておいたこれらの情報に対する興味度が薄れてしまう可能性がある。
【０００６】
本発明は、このような事情に鑑みてなされたものであって、ユーザが興味を示した場所の情報を適切なタイミングで提供できるとともに、その場所の情報を取得した動機を想起させることの可能な情報処理システム、情報提供方法、及び情報提供プログラムを提供することを目的とする。
【課題を解決するための手段】
【０００７】
本発明の第一態様は、ユーザが興味を持った場所に関する情報を取得する情報取得部と、前記情報取得部によって取得された前記場所に関する情報を用いて、前記場所の名称、前記場所の位置情報、及び前記場所に関する情報を取得した前記ユーザの行動に関する付加情報を関連付けた場所提供情報を作成する情報作成部と、ユーザの位置情報を取得する位置情報取得部と、取得した前記位置情報に基づく検索条件を用いて複数の前記場所提供情報が格納されているデータベースを検索し、前記検索条件に合致する前記場所提供情報を抽出する抽出部と、抽出した前記場所提供情報に記載されている前記場所の名称及び前記場所の位置情報とともに、前記付加情報を提供する情報提供部とを具備する情報処理システムである。
【０００８】
本発明の第二態様は、ユーザが興味を持った場所に関する情報を取得する工程と、取得した前記場所に関する情報を用いて、前記場所の名称、前記場所の位置情報、及び前記場所に関する情報を取得した前記ユーザの行動に関する付加情報を関連付けた場所提供情報を作成する工程と、ユーザの位置情報を取得する工程と、取得した前記位置情報に基づく検索条件を用いて複数の前記場所提供情報が格納されているデータベースを検索し、前記検索条件に合致する前記場所提供情報を抽出する工程と、抽出した前記場所提供情報に記載されている前記場所の名称及び前記場所の位置情報とともに、前記付加情報を提供する工程とを有する情報提供方法である。
【０００９】
本発明の第三態様は、ユーザが興味を持った場所に関する情報を取得するステップと、取得した前記場所に関する情報を用いて、前記場所の名称、前記場所の位置情報、及び前記場所に関する情報を取得した前記ユーザの行動に関する付加情報を関連付けた場所提供情報を作成するステップと、ユーザの位置情報を取得するステップと、取得した前記位置情報に基づく検索条件を用いて複数の前記場所提供情報が格納されているデータベースを検索し、前記検索条件に合致する前記場所提供情報を抽出するステップと、抽出した前記場所提供情報に記載されている前記場所の名称及び前記場所の位置情報とともに、前記付加情報を提供するステップとをコンピュータに実行させるための情報提供プログラムである。
【発明の効果】
【００１０】
本開示によれば、ユーザが興味を示した場所の情報を適切なタイミングで提供できるとともに、その場所の情報を取得した動機を想起させることができるという効果を奏する。
【図面の簡単な説明】
【００１１】
【図１】本発明の一実施形態に係る対話型ロボットが備える情報処理装置の概略構成図である。
【図２】本発明の一実施形態に係る対話型ロボットの外観図である。
【図３】本発明の一実施形態に係る情報処理装置が有する各種機能のうち、場所情報提供に関する機能の一例を抽出して示した機能ブロック図である。
【図４】本発明の一実施形態に係る情報作成部によって作成される場所提供情報の一例を示した図である。
【図５】本発明の他の態様に係る情報処理システムの一構成例を示した図である。
【図６】本発明の他の態様に係る情報処理システムの一構成例を示した図である。
【発明を実施するための形態】
【００１２】
以下に、本発明の一実施形態に係る情報処理システム、情報提供方法、及び情報提供プログラムについて、図面を参照して説明する。
以下に示す実施形態では、本発明の一実施形態に係る情報処理システムの一例として対話型ロボットを例示して説明する。
【００１３】
図１は、本発明の一実施形態に係る対話型ロボット１が備える情報処理装置１０の電気的構成を概略的に示した概略構成図である。図１に示すように、情報処理装置１０は、例えば、ＣＰＵ１１、ＣＰＵ１１が実行するプログラム及びこのプログラムにより参照されるデータ等を記憶するための補助記憶装置１２、各プログラム実行時のワーク領域として機能する主記憶装置１３、位置情報を取得するためのＧＰＳ１４、ネットワークに接続するための通信インターフェース１５、入力部１６、出力部１７、及びカメラ１８を主な構成として備えている。  これら各部は、例えば、バス１９を介して接続されている。補助記憶装置１２として、例えば、ＨＤＤ（Hard Disk Drive）などの磁気ディスク、光磁気ディスク、ＳＳＤ（Solid State Drive）等の半導体メモリ等が一例として挙げられる。
【００１４】
後述する各種機能を実現するための一連の処理は、一例として、プログラム（例えば、情報提供プログラム）の形式で補助記憶装置１２に記憶されており、このプログラムをＣＰＵ１１が主記憶装置１３に読み出して、情報の加工・演算処理を実行することにより、各種機能が実現される。なお、プログラムは、補助記憶装置１２に予めインストールされている形態や、他のコンピュータ読み取り可能な記憶媒体に記憶された状態で提供される形態、有線又は無線による通信手段を介して配信される形態等が適用されてもよい。コンピュータ読み取り可能な記憶媒体とは、磁気ディスク、光磁気ディスク、ＣＤ−ＲＯＭ、ＤＶＤ−ＲＯＭ、半導体メモリ等である。
【００１５】
図１において、通信インターフェース１５は、インターネットに代表されるネットワークに接続され、ネットワークとのインターフェースを図るものである。
入力部１６は、ユーザが情報処理装置１０に対して指示を与えるためのユーザインターフェースである。入力部１６の一例として、タッチパネル２０（図２参照）が備えるタッチ入力デバイス２１、マイクロフォン２２等が挙げられる。マイクロフォン２２によって取得された音声信号は音声認識部（図示略）によって解析され、解析結果が出力される。
【００１６】
出力部１７は、情報処理装置１０によって実行されたアプリケーションソフトウェアプログラムの結果や通信インターフェース１５によって受信された情報をユーザに通知するものであり、一例として、タッチパネル２０が備えるＬＣＤ（Liquid Crystal Display）等のディスプレイ２５、スピーカ２６等が挙げられる。また、出力部１７は、表示情報を投影するプロジェクタを備えていてもよい。
【００１７】
図２は、本発明の一実施形態に係る対話型ロボット１の外観図である。本実施形態に係る対話型ロボット１は、携帯可能なロボットとされ、例えば、頭部２、胴体３、右上腕部４ａ、左上腕部４ｂ、右手部５ａ、左手部５ｂ、右脚部６ａ、左脚部６ｂ、右足部７ａ、及び左足部７ｂを備えている。これらの各構成要素の接続部には図示しないモータが設けられており、モータを駆動させることで頭部２、胴体３、右上腕部４ａ、左上腕部４ｂ、右手部５ａ、左手部５ｂ、右脚部６ａ、左脚部６ｂ、右足部７ａ、及び左足部７ｂを動かすことができる。
【００１８】
頭部２には、例えば、カメラ１８、マイクロフォン２２、及びスピーカ２６が設けられている。また、胴体３にはタッチ入力デバイス２１及びディスプレイ２５を備えるタッチパネル２０が設けられている。また、胴体３には情報処理装置１０の他の構成要素が内蔵されている。なお、これら構成の配置については一例であり、この例に限定されない。例えば、タッチパネル２０は対話型ロボット１の背面に設けられていてもよい。
【００１９】
図３は、本実施形態に係る情報処理装置１０が有する各種機能のうち、場所情報提供に関する機能の一例を抽出して示した機能ブロック図である。図３に示すように、情報処理装置１０は、例えば、情報取得部３１、情報作成部３２、位置情報取得部３３、抽出部３４、情報提供部３５、画像データベース４０、及びデータベース４１を備えている。
【００２０】
情報取得部３１は、ユーザが興味を持った場所に関する情報を取得する。
具体的には、ユーザが対話型ロボット１と共にテレビを視聴しているときに、ユーザがテレビで紹介されている場所に関する情報に興味を持つことにより、入力部１６から撮影を指示する所定の入力が行われた場合に、情報取得部３１は、カメラ１８を通じてテレビ画面を撮影し、画像データを取得する。
【００２１】
ここで、テレビに映し出されている映像は、地上デジタル放送サービス、ＢＳ（Broadcasting Satellite）、ＣＳ（Communications Satellite）デジタル放送サービスから放送されている番組の他、ユーザが録画した番組、動画配信サービスから配信される動画コンテンツ、又は、インターネット上のサーバに不特定多数のユーザが投稿し、共有し、視聴できる動画サイトのコンテンツを含む。
【００２２】
また、例えば、ユーザが対話型ロボット１と共に雑誌、チラシ、ウェブサイト等などを閲覧しているときに、ユーザがそれらに掲載されている場所に関する情報に興味を持つことにより、入力部１６から撮影を指示する所定の入力が行われた場合に、情報取得部３１はカメラ１８を通じて雑誌の該当ページ、チラシ、ウェブサイト等を撮影し、画像データを取得する。
【００２３】
また、例えば、ユーザが対話型ロボット１と一緒に外出しているときに、興味のある場所の情報が記載された看板、ポスター、広告に関する情報を見つけることにより、入力部１６から撮影を指示する所定の入力が行われた場合に、情報取得部３１はカメラ１８を通じてその媒体の画像データを取得する。
【００２４】
例えば、ユーザは、「このテレビ番組を撮影して」、「この雑誌のページを撮影して」、「このチラシを撮影して」、「このウェブサイトを撮影して」、「この看板を撮影して」等のように、取得する「媒体」及び「撮影」のキーワードが含まれる所定の表現を発することにより、対話型ロボット１に対して撮影の指示を与えることが可能である。
【００２５】
これらの音声は、マイクロフォン２２によって取得され、音声認識部（図示略）によって解析される。解析結果として、予め設定されているキーワード（例えば、予め登録されている媒体名および「撮影」のワード）が含まれていた場合に、対話型ロボット１は、撮影の入力指示と解釈し、カメラ１８を通じて画像データを取得する。なお、対話型ロボット１が適切な画像データを取得する姿勢になっていない場合には、ユーザは適切な画角となるように対話型ロボット１の姿勢を調整する。
上記予め登録されている媒体名の一例として、テレビ、雑誌、チラシ、ウェブサイト、看板、広告、ポスター等のワードが挙げられる。
【００２６】
また、対話型ロボット１は、ユーザがタッチパネル２０のメニューから撮影を行わせる指示を入力するためのボタン（例えば、「撮影開始ボタン」等）を表示させ、そのボタンを押下することにより、撮影の指示を与えることが可能な構成とされていてもよい。
【００２７】
また、カメラ１８のシャッタボタンや動画撮影ボタンが別途設けられている場合には、ユーザはシャッタボタン等を押下することにより、撮影の指示を与えることとしてもよい。
【００２８】
情報取得部３１によって取得された画像データは、画像データの取得日情報が付加され、画像データベース４０に蓄積されるとともに情報作成部３２に出力される。
【００２９】
情報作成部３２は、情報取得部３１によって取得された画像データを用いて、場所の名称、場所の位置情報、及び場所に関する情報を取得したユーザの行動に関する付加情報を少なくとも関連付けた場所提供情報を作成する。
【００３０】
具体的には、情報作成部３２は、情報取得部３１によって取得された画像データを画像処理し、画像データに含まれるテキストデータを解析する。そして、それらのテキストデータから場所に関する「基本情報」を取得する。場所に関する「基本情報」は、少なくとも店舗名、観光地名、レジャー施設名などの「場所の名称」および「その場所の住所」を含んでいる。
【００３１】
更に、情報作成部３２は、画像データから画像データの取得先となった媒体情報（例えば、テレビ、雑誌、チラシ、ウェブサイト、看板、広告、ポスター等）、画像データの取得年月日、及び当該画像データの格納先アドレスを「付加情報」として取得し、上記「基本情報」と関連付けることで場所提供情報を作成する。
【００３２】
なお、情報作成部３２は、上記基本情報及び付加情報のうち、画像データから取得できない情報があった場合には、通信インターフェース１５を介してインターネット等のネットワークに接続し、所望の情報を得る。例えば、場所の住所が不明な場合には、「場所の名称（例えば、店舗名、観光地名、レジャー施設名等）」をキーワードとして検索すればよい。
また、情報作成部３２は、ユーザに対して問いかけをすることで、ユーザとの対話により必要な情報を得ることとしてもよい。
【００３３】
また、情報作成部３２は、画像データまたはインターネット等から当該場所の電話番号、ウェブサイトのＵＲＬ、定休日、駐車場の有無等の関連情報を更に取得し、これらを場所提供情報に登録することとしてもよい。
【００３４】
更に、情報作成部３２は、取得した上記情報を更に解析することにより、場所のジャンル（例えば、カフェ、アクティビティ、観光地等）を特定し、ジャンルを関連情報として場所提供情報に登録することとしてもよい。
また、カフェ、レストランなどの店舗において商品名や価格が、また、観光地において拝観料金などが画像データに含まれていた場合には、画像データに含まれているこれらの情報を関連情報として場所提供情報に登録することとしてもよい。
また、画像データにクーポン情報が記載されていた場合には、クーポンの情報、例えば、割引額、有効期限等を関連情報として場所提供情報に登録してもよい。
【００３５】
図４は場所提供情報の一例を示した図である。図４に示した場所提供情報のうち、管理番号「１０００１」で識別される場所提供情報は、テレビでカフェが紹介されたときの画像データに基づいて作成された場所提供情報の一例を示したものである。この例では、基本情報Ａとしてカフェの店舗名（ＢＢＢ）及び住所（ＡＡＡ市）が登録され、関連情報Ｂとして、電話番号、その店舗が掲載されているウェブサイトのＵＲＬ、当該場所のジャンル（カフェ）が登録され、付加情報Ｃとして、画像データを取得した媒体（テレビ）、その視聴年月日（２０１７年１２月１日）、及び当該画像データの格納先アドレスが登録されている。
【００３６】
また、図４において、管理番号「１０００２」で識別される場所提供情報は、レジャー施設に関するチラシを撮影したときの画像データに基づいて作成された場所提供情報の一例を示したものである。この例では、基本情報Ａとしてレジャー施設の名称（ＢＢＣ）及び住所（ＡＡＢ市）が登録され、関連情報として、電話番号、そのレジャー施設が掲載されているウェブサイトのＵＲＬ、当該場所のジャンル（アクティビティ）、当該チラシに付帯されていた割引券の割引額及びその有効期限が登録され、付加情報として、画像データを取得した媒体（チラシ）、その閲覧年月日（２０１８年９月１５日）、当該画像データの格納先アドレスが登録されている。
なお、図４に記載した情報の他、場所提供情報には、関連情報として、その店舗や施設の定休日、駐車場の有無、その店舗等で提供される商品名やその価格、お勧めの時間帯情報、お勧めの季節情報等が登録されていてもよい。
【００３７】
データベース４１には、情報作成部３２によって作成された場所提供情報が格納される。なお、本実施形態では、情報処理装置１０が画像データベース４０及びデータベース４１を備えることとしたが、画像データベース４０及びデータベース４１は、必ずしも情報処理装置１０が有している必要はなく、例えば、所定のクラウド上に存在してもよい。
【００３８】
位置情報取得部３３は、ＧＰＳ１４から現在位置情報を取得する。具体的には、位置情報取得部３３は、ＧＰＳ１４から取得された緯度経度からなる位置情報を住所に変換し、住所の情報を出力する。
抽出部３４は、位置情報取得部３３によって取得された住所に基づいて検索条件を作成し、検索条件に合致する場所提供情報をデータベース４１から抽出する。具体的には、抽出部３４は、位置情報取得部３３によって取得された現在位置から所定距離圏内（例えば、１ｋｍ以内）に該当する場所提供情報を抽出し、情報提供部３５に出力する。なお、距離範囲の設定は、ユーザが適宜設定及び変更できることとしてもよい。
【００３９】
情報提供部３５は、抽出部３４によって抽出された場所提供情報に記載されている場所（店舗、観光地、レジャー施設等）の名称及び場所の位置情報を含む基本情報Ａと共に付加情報Ｃ（例えば、画像データを取得した媒体（テレビ、雑誌、チラシ、広告、看板等）の情報、その取得日、その画像データ自体）を提供する。また、これに加えて、関連情報Ｂについてもユーザに提供することとしてもよい。
【００４０】
ユーザへの情報提供方法は、タッチパネル２０のディスプレイ２５を用いた表示による通知及びスピーカ２６からの音声による通知の少なくともいずれかを用いた通知方法が挙げられる。例えば、情報提供部３５は、場所提供情報から得られる情報をディスプレイ２５に表示させるとともに、音声によって通知可能な情報（例えば、店舗名、住所、一部の付加情報等）については、スピーカ２６から音声によって通知することとしてもよい。
【００４１】
例えば、抽出部３４の検索結果として、図４に示された管理番号「１０００１」の場所提供情報が抽出された場合には、情報提供部３５は、カフェの店舗名および住所とともに、このカフェの情報を取得した媒体の情報（テレビ）、そのテレビ番組の視聴年月日、及びそのテレビ番組の画像データをタッチパネル２０のディスプレイ２５に表示させる。
このとき、住所に代えて、地図上の該当位置に目印となるインディケーションを表示させることで、当該カフェの位置をユーザに通知することとしてもよい。
【００４２】
また、これらの情報の他、場所提供情報に登録されている関連情報Ｂ、すなわち、ＵＲＬ等をディスプレイ２５に表示させてもよい。これにより、ユーザは更に詳細な情報を得ることが可能となる。
【００４３】
次に、本実施形態に係る対話型ロボット１による情報提供方法について簡単に説明する。
例えば、ユーザが対話型ロボット１とともにテレビ番組を見ているときに、興味のある場所に関する情報の紹介がなされた場合、ユーザはそのテレビ画面を撮影する旨の指示を対話型ロボット１に入力する。
また、ユーザが対話型ロボット１ととともに、雑誌、チラシ、ウェブサイト等の媒体を閲覧しているときに、興味のある場所に関する情報が記載されていた場合、または、対話型ロボット１とともに外出しているときに、興味のある広告、看板等の媒体を見つけた場合に、その媒体を撮影する旨の指示を対話型ロボット１に入力する。
【００４４】
このような入力指示を受け付けると、対話型ロボット１はカメラ１８を通じて媒体（テレビ画面、雑誌の該当ページ、チラシ、ウェブサイトの画面、広告、看板等）の画像データを取得する。
【００４５】
このようにして情報取得部３１によって取得された画像データは、その取得日情報が付与され、画像データベース４０に格納されるとともに、情報作成部３２に出力される。
情報作成部３２は、情報取得部３１によって取得された画像データを解析し、場所提供情報を作成する。これにより、図４に一例を示したような場所提供情報が作成され、データベース４１に格納される。なお、場所提供情報を作成するための情報が画像データから取得できなかった場合には、対話型ロボット１はウェブサイトやユーザに対する問いかけによって、不足している情報を得ることが可能である。
【００４６】
情報作成部３２によって作成された場所提供情報は、個別の管理番号が付与され、データベース４１に蓄積される。
【００４７】
続いて、ユーザの外出時においては、位置情報取得部３３によってユーザの位置が取得され、取得された位置情報に基づいてデータベース４１が検索されて、ユーザの現在位置周辺に位置する店舗等の場所提供情報が抽出部３４によって抽出される。
情報提供部３５は、抽出部３４によって抽出された場所提供情報のうち、少なくとも基本情報Ａ及び付加情報Ｃをユーザに提供する。提供方法は、例えば、ディスプレイ２５による表示通知、スピーカ２６による音声通知等が挙げられる。
【００４８】
例えば、図４に示した管理情報「１０００１」の場所提供情報が抽出された場合、対話型ロボット１のスピーカ２６から「ＡＡＡ市にカフェＢＢＢがあります。２０１７年１２月１日に視聴したテレビで紹介されたカフェです。」といった音声とともに、ユーザが実際に視聴したテレビ番組の画像がディスプレイ２５に表示される。
【００４９】
以上説明したように、本実施形態に係る情報処理装置１０、対話型ロボット（情報処理システム）１、情報提供方法、及び情報提供プログラムによれば、ユーザが興味を持った場所に関する情報が提供されている媒体の画像データが情報取得部３１によって取得され、この画像データに基づいて場所提供情報が情報作成部３２によって作成される。この場合において、情報作成部３２は、ユーザがその場所に興味を持ったときのテレビ番組や雑誌等の画像データを付加情報として場所提供情報に登録する。これにより、例えば、ユーザがその近くを訪れた場合には、場所提供情報に記録されている場所の名称や位置情報だけでなく、ユーザが興味を持ったときの媒体の画像データを提供することが可能となる。
【００５０】
このように、本実施形態に係る情報処理装置１０、対話型ロボット（情報処理システム）１、情報提供方法、及び情報提供プログラムによれば、ユーザは自発的に検索を行うことなく、興味を持った場所の情報を容易に得ることができる。更に、興味と持ったときの媒体の画像データ、例えば、テレビ番組の画像や雑誌のページ画面の画像が提供されるので、ユーザはなぜその場所に興味を持ったのか等の記録するに至った動機を想起することが可能となる。
【００５１】
また、本実施形態によれば、場所提供情報には、電話番号、ＵＲＬ、ジャンルなどの関連情報が関連付けられているので、その場所に関するより詳細な情報をユーザに提供することが可能となる。更に、これらの関連情報を用いることで、ユーザが所望する情報を容易に抽出することができる。
【００５２】
以上、本発明について実施形態を用いて説明したが、本発明の技術的範囲は上記実施形態に記載の範囲には限定されない。発明の要旨を逸脱しない範囲で上記実施形態に多様な変更又は改良を加えることができ、該変更又は改良を加えた形態も本発明の技術的範囲に含まれる。また、上記実施形態を適宜組み合わせてもよい。
【００５３】
例えば、情報処理装置１０は、抽出部３４によって複数の場所提供情報が抽出された場合に、各場所提供情報に含まれる関連情報（例えば、価格、注目度、混雑情報等）と所定の条件式とを用いて優先順位を決定するための評価値を演算し、この評価値に基づいて場所提供情報の優先順位を決定する優先順位決定部を備えていてもよい。この場合、情報提供部は、優先順位の高い順に場所提供情報に基づく情報提供を行うとよい。
【００５４】
また、抽出部３４によって複数の場所提供情報が抽出された場合には、抽出された件数をユーザに通知し、更に絞り込むためのキーワードをユーザに入力させることにより、ユーザに提供する場所提供情報を絞り込んでいくこととしてもよい。この場合、例えば、キーワードとして、ジャンル等が挙げられる。
【００５５】
また、上記実施形態に係る情報処理装置１０では、情報取得部３１によって画像データが取得される度に、情報作成部３２が場所提供情報を作成することとしたが、情報作成部３２が場所提供情報を作成するタイミングはこの例に限定されない。例えば、所定のタイミングで画像データベース４０にアクセスし、前回から新たに蓄積された画像データを読み出し、読み出した画像データに基づいて場所提供情報を事後的に作成することとしてもよい。
【００５６】
また、上記実施形態に係る情報処理装置１０では、ユーザの現在位置に基づく検索条件によって抽出部３４がデータベース４１を検索する場合について説明したが、例えば、ユーザが自発的にデータベース４１に格納されている場所提供情報を閲覧したい場合もある。この場合、ユーザは取得したい場所提供情報に関するキーワード（例えば、住所、ジャンル、画像データの取得時期等）を指定して検索を行わせることとしてもよい。この場合、抽出部３４はユーザによって指定されたキーワードに基づいてデータベース４１の検索を行い、キーワードに該当する場所提供情報を抽出する。これにより、ユーザは所望の場所提供情報を閲覧することが可能となる。
【００５７】
また、上記実施形態では、情報処理システムの一例として対話型ロボット１を例示して説明したが、本発明の情報処理システムは上記例に限定されない。例えば、情報処理システムは、スマートフォン等の携帯電話機、ノートＰＣ、タブレット端末等の情報処理装置であってもよい。この場合もタブレット端末や携帯電話機等が上述した情報処理装置１０の構成や機能を有していればよい。
この場合、ユーザによりカメラ１８が操作されることをトリガとして、テレビ画面の画像データ（動画データ）を取得したり、雑誌等の画像を取得することとしてもよいし、音声認識機能を有する情報処理装置であれば、音声によってこれらの指示を与えてもよい。
【００５８】
また、情報処理システムは、図５に示すように対話型ロボット１´と上述したスマートフォン等の情報処理装置１０´との組み合わせによって構成されていてもよい。この場合、対話型ロボット１´と情報処理装置１０´とは情報の授受が可能な構成とされている。例えば、対話型ロボット１´には、カメラ１８、入力部１６、出力部１７が設けられており、情報処理装置１０´が対話型ロボット１´によって取得された画像データに基づいて場所提供情報を作成することとしてもよい。すなわち、この場合、対話型ロボット１´のカメラ１８によって取得された画像データを情報処理装置１０´が取得し、取得した画像データに基づいて場所提供情報を作成し、画像データベース４０及びデータベース４０に情報を格納することとしてもよい。なお、上述したように、画像データベース４０及びデータベース４１は情報処理装置１０´に設けられていてもよいし、インターネットやクラウド上のサーバに格納されており、必要に応じて情報処理装置１０´がこれらのデータベースにアクセスする態様としてもよい。
【００５９】
また、図６に示すように、情報処理装置１０´にテレビ番組等の動画コンテンツを録画するレコーダ（例えば、ＤＶＤレコーダ、録画機能付きテレビ受像機等）５０を制御する機能を付加し、以下のように、画像データを取得することとしてもよい。ここで、レコーダ５０は、例えば、放映されている動画コンテンツ（例えば、テレビ番組等）を録画する機能を有している。
【００６０】
例えば、ユーザが対話型ロボット１´とともにテレビ番組を視聴している場合、ユーザから番組情報を記録する旨の指示が入力されたとする。この場合、対話型ロボット１´から情報処理装置１０´に対して情報記録の指示が送信される。情報処理装置１０´は、情報記録の指示を受信すると、レコーダ５０に対して現在放映されている当該番組の録画を所定期間行うように指示する。これにより、レコーダ５０によってユーザが視聴している番組の録画が行われる。このとき、録画の期間は、例えば、次のコマーシャルに入るまで、予め設定された所定期間、当該番組が終了するまで等、種々の態様をとることができる。
【００６１】
このようにして録画された番組の画像データ、または、その複製データは、リアルタイム、または、録画が終了した後に情報処理装置１０´に送信される。情報処理装置１０´は受信した画像データを解析及び処理することで場所提供情報を作成し、データベース４１に格納するとともに、当該画像データを画像データベース４０に格納する。なお、画像データベース４０には、レコーダ５０から受信した画像データ全てを格納してもよいし、全ての画像データからユーザが記録を指示した番組の画像データのみを切り取った画像データとしてもよい。
【００６２】
また、レコーダ５０によっては放映している全ての番組を録画している機能を備えるものもある。この場合には、ユーザが情報記録を指示した時点ですでにその番組が録画されていることとなる。したがってこの場合には、情報処理装置１０´は、ユーザの情報記録の指示から所定期間（例えば、５分前等）さかのぼった時刻から所定の期間分（例えば、予め決められている期間、次のコマーシャル開始まで、番組が終了するまで等）の録画データを切り取って画像データとして取得すればよい。このようにすることで、ユーザが興味を示した番組の情報を余すことなく取得することが可能となる。
【００６３】
さらに、インターネット上のサーバに番組のメタ情報（レポーターの名前、放映した場所や商品に関する詳細情報）が格納されている場合には、情報処理装置１０´は、該当サーバにアクセスして当該番組のメタデータを取得し、取得したメタデータとレコーダ５０から取得した画像データとを用いて場所提供情報を作成することとしてもよい。
【００６４】
また、リアルタイムで放映されている上記番組の他、例えば、録画した番組を視聴しているときにユーザから情報記録の指示が入力された場合には、現在再生されている録画データにおいて、ユーザの情報記録の指示から所定期間さかのぼった時刻から所定の期間分の録画データを複製することにより画像データを取得すればよい。
【００６５】
さらに、情報処理装置１０´が上記レコーダ５０を制御する機能を有していない場合には、そのような機能を有する他の情報処理装置と協働して機能することにより、上記画像データの取得及び解析等を実現することとしてもよい。
【００６６】
さらに、上記レコーダ５０を使用した画像データの取得に関しては、対話型ロボット１´に搭載されたカメラ１８を用いる必要がないため、例えば、対話型ロボット１´を省略することが可能である。すなわち、ユーザから情報処理装置１０´に対して情報記録の指示を直接入力されるようにすればよい。この指示入力は、例えば、情報処理装置１０´に対する所定の入力操作であってもよいし、音声認識機能を情報処理装置１０´が有する場合には音声によって指示されてもよい。
【００６７】
また、場所提供情報のユーザへの提示に関する位置情報取得部３３、抽出部３４、情報提供部３５についても対話型ロボット１´と情報処理装置１０´との連携によって実現されてもよい。例えば、対話型ロボット１´にＧＰＳ機能、すなわち、位置情報取得機能を設けておき、ユーザと対話型ロボット１´によって取得された位置情報を情報処理装置１０´に送信することし、情報処理装置１０´において場所に応じた場所提供情報が抽出され、抽出した場所提供情報が情報処理装置１０´から対話型ロボット１´に送信されることにより、対話型ロボット１´を介して情報がユーザに提供されることとしてもよい。
【００６８】
上述のように、図１に示した一例としての構成や、図３に示した一例としての機能は、単独の装置（例えば、対話型ロボット１、スマートフォン等の情報処理装置）によって実現されてもよいし、これら複数の装置の組み合せ（例えば、対話型ロボットと少なくとも一台の情報処理装置の組み合わせ、複数の情報処理装置の組み合わせ等）によって情報処理システムを構成し、上述した実施形態に係る情報処理装置１０が備える構成や機能が複数の装置に分散されたり、重複して設けられることにより実現されてもよい。
【符号の説明】
【００６９】
１、１´      ：対話型ロボット
２      ：頭部
３      ：胴体
４ａ    ：右上腕部
４ｂ    ：左上腕部
５ａ    ：右手部
５ｂ    ：左手部
６ａ    ：右脚部
６ｂ    ：左脚部
７ａ    ：右足部
７ｂ    ：左足部
１０、１０´    ：情報処理装置
１１    ：ＣＰＵ
１２    ：補助記憶装置
１３    ：主記憶装置
１４    ：ＧＰＳ
１５    ：通信インターフェース
１６    ：入力部
１７    ：出力部
１８    ：カメラ
１９    ：バス
２０    ：タッチパネル
２１    ：タッチ入力デバイス
２２    ：マイクロフォン
２５    ：ディスプレイ
２６    ：スピーカ
３１    ：情報取得部
３２    ：情報作成部
３３    ：位置情報取得部
３４    ：抽出部
３５    ：情報提供部
４０    ：画像データベース
４１    ：データベース
５０    ：レコーダ
【図１】
2020119125.tif 000003
【図２】
2020119125.tif 000004
【図３】
2020119125.tif 000005
【図４】
2020119125.tif 000006
【図５】
2020119125.tif 000007
【図６】
2020119125.tif 000008